(57)【要約】【課題】構造強度を高めたエアインパクト工具の打撃部の構造を提供する。【解決手段】ローターブレード５２に供給される圧縮空気によって駆動されるエアモーター５０により正逆方向に作動するハンマーケース６１において、ハンマー７０を回動自在に枢着する挿入軸６６に拡大軸段６７を設け、ハンマー７０の軸孔７１に拡大孔段７２を設けることにより、強度・剛性を向上してハンマー７０が打撃力を受けた後の反作用力に効果的に耐え、さらに挿入軸６６の変形を防止する。【選択図】  図４
0003105967.tif 000002
【実用新案登録請求の範囲】
【請求項１】
エアインパクト工具の打撃部の構造において、
エアモーターと、打撃部と、伝動軸とによって構成し、
前記打撃部は、エアモーターの駆動力によって正、逆方向に回転すると共に打撃部が伝動軸を駆動するものであって、
前記エアモーターはエアシリンダ内にローラーブレードとローターが設けられていて、前記ローターからは歯付き軸が延長され、
打撃部は枠状のハンマーケースを具有して構成されてなると共に、前記ハンマーケースのエアモーターに対応する一端には歯付き軸と噛合する駆動軸が設けられ、該駆動軸のハンマーケース内に位置する一端には偏心部が形成されており、さらにハンマーケース内部の片側には打撃部内に挿設されている伝動軸を作動させる作動溝を備えたハンマーが枢設され、
打撃部のハンマーを枢設する挿入軸は、その一方側をハンマーケースの貫通孔に軸支すると共に他方側に拡大軸段を設けてハンマーの拡大孔段を挿通してハンマーケースの拡大孔により軸支せしめてなり、
伝動軸の一端には工具ソケットに接続する角ドライブを形成すると共に、打撃部に挿入される他端にはハンマーの作動溝に対応するアンビルを設けた噛合段が形成されており、
上記の拡大軸段を設けた構造により構造強度を高めたことを特徴とするエアインパクト工具の打撃部の構造。
【請求項２】
上記ハンマーが第１ハンマー及び第２ハンマーから構成され、打撃部のハンマーケース両端面にはこれらにそれぞれ対応する第一貫通孔、第二貫通孔と、第一拡大孔、第二拡大孔が形成されており、それぞれ第一挿入軸、第二挿入軸を利用して第一ハンマー、第二ハンマーを枢設し、前記第一挿入軸、第二挿入軸の第一拡大孔、第二拡大孔に対応する一端には同径である拡大軸段が形成されており、さらに拡大軸段の長さは少なくとも第一ハンマー、第二ハンマーに挿入するのに足りる長さであり、第一ハンマー、第二ハンマーには第一挿入軸、第二挿入軸に対応する軸孔が形成されており、さらに前記軸孔には第一挿入軸、第二挿入軸の拡大軸段に対応する拡大孔段が形成されており、第一ハンマー、第二ハンマーは対応する伝動軸を両ハンマーによって打撃するようにしてなることを特徴とする請求項１に記載のエアインパクト工具の打撃部の構造。
【考案の詳細な説明】
【技術分野】
【０００１】
本考案はエアインパクト工具の打撃部の構造に係り、特に打撃部の構造強度を高めた技術であり、ハンマーとハンマーケースとの枢接部分の強度を高めた特殊な構造により、公知構造における打撃部のハンマーが容易に破損する問題を解決し、不必要な破損を減少させるだけでなく、エアインパクト工具の使用寿命を長くすることができるエアインパクト工具の打撃部の構造に関わる。
【背景技術】
【０００２】
エアー工具は圧縮空気を作動の動力源として利用する工具であり、迅速、効果的、好適な回転などの特性を具有しており、例えばエアインパクト工具、研磨機、針打機等の各種の工具に広く運用されており、その中でエアインパクト工具はボルトやナットの締緩に用いられる工具であり、主に圧縮空気を利用してエアモーターを作動させることにより伝動軸上のソケットを正、逆方向に回転させ、一般のエアインパクト工具は図１，２に示すように、主にエアモーター上に打撃部が接続されており、打撃部を利用して伝動軸を作動させ、エアモーターはエアシリンダ内にローターブレードとローターが設けられており、ローターからは歯付き軸が伸びて打撃部と噛合しており、打撃部は枠上のハンマーケースによって構成されており、前記ハンマーケースのエアモーターに対応する一端には歯付き軸と噛合する駆動軸が枢設されており、前記駆動軸のハンマーケース内部には偏心部が形成されており、ハンマーケースの両端面にはそれぞれ同軸上にある貫通孔が形成されており、両貫通孔間にはピンが挿入されており、ピンのハンマーケース内にはハンマーが枢設されており、前記ハンマーは駆動軸偏心部により作動し、さらにハンマーの両端面間にはピンを挿入するピン孔が形成されており、ハンマーには伝動軸の打撃に対応する作動溝が形成されており、前記伝動軸はソケットを接続する角ドライブを具有する以外に、伝動軸はハンマーの作動溝に挿入する噛合段を具有しており、さらに噛合段上にはそれぞれ作動溝に対応するアンビルが形成されており、打撃部はハンマーを通じて伝動軸を正、逆方向に回転させる。
【０００３】
前記エアインパクト工具は、圧縮空気がエアモーターに進入した後、ローターブレードとローターを通じて打撃部のハンマーケースを正、逆方向に作動させ、ハンマーケースはピンを利用してハンマーを動かし、伝動軸を打撃し、伝動軸のソケットを正、逆方向に動かし、ボルトやナットの締緩を行うものであり、公知構造のエアインパクト工具には動作上大きな問題はないが、やはりいくつかの問題が存在する。すなわち、
【０００４】
１  強度不足である。
打撃部のハンマーはハンマーケースが回転する時いつも伝動軸を打撃するが、ハンマーケースに枢設されているハンマー上のピンは長期に渡る使用に耐えることができず、さらに応力の集中が頻繁に発生し、ピンの湾曲、変形を来たし、円滑な作動に影響を及ぼし、その強度は明らかに不足するものである。
【０００５】
２  使用寿命が短い。
上述のように、ピンの強度不足による変形により、円滑な作動に影響を及ぼすだけでなく、同時にエアインパクト工具の破損をもたらし、使用寿命を短くしてしまう。
【０００６】
上述の説明から分かるように、公知構造によるエアインパクト工具の打撃部における構造は未だ完全ではなく、一般に構造強度が優れない、使用寿命が短い等の問題が存在し、ゆえに公知構造のエアインパクト工具に対して改良を行い、その欠点と不便さを克服する必要がある。
【０００７】
以上のことから、本考案の考案者は、長年の研究開発と製造経験から上述の諸問題を探求し、長期に渡る研究と試作によりついに耐負荷性および構造強度を高め、効果的に使用寿命を延長することができるエアインパクト工具の打撃部の構造を考案した。
【特許文献１】特開２００３−７１７３５号公報
【考案の開示】
【考案が解決しようとする課題】
【０００８】
上記公知構造の欠点を解決するために、本考案の主な目的は、構造強度を高めたエアインパクト工具の打撃部の構造を提供することであり、それにより効果的にその使用寿命を長くすることができる。
【課題を解決するための手段】
【０００９】
前記課題を解決するために、本考案は、
打撃部のハンマーケース両端面のハンマーに対応する位置にはそれぞれ貫通孔と拡大孔が形成されており、前記貫通孔と拡大孔は同軸上にあり、ハンマーケースは挿入軸を利用してハンマーを枢設しており、前記挿入軸の拡大孔に対応する一端には同径の拡大軸段が形成されており、さらに拡大軸段の長さは少なくともハンマーに挿入するのに足りる長さである。
【００１０】
ハンマーには挿入軸に対応する軸孔が形成されており、さらに前記軸孔には拡大軸段に対応する拡大孔段が形成されており、さらにハンマーには伝動軸に対応する作動溝が形成されている。
【００１１】
伝動軸の一端にはソケットを接続する角ドライブが形成されており、さらに伝動軸のもう一端には噛合段が形成されており、噛合段上にはハンマーの作動溝に対応するアンビルが形成されている。
【００１２】
上記構造により、有効的にその構造強度を高めることができ、エアインパクト工具が挿入軸の損傷により破損してしまうのを減少させることができ、同時に使用寿命を長くすることができ、経済効率を向上させることができる。
【００１３】
本考案の構成、特徴、その他の目的を比較的好適な実施例に沿って下記に説明するが、その実施例はただ本考案の比較的好適な実施例を説明するものであり、本考案の範囲を限定するものではなく、ゆえに本考案の精神を基本とした本考案の如何なる修飾や変更も全て本考案に含まれる。
【考案の効果】
【００１４】
本考案の挿入軸に拡大軸段を設け、ハンマーの軸孔に拡大孔段を設ける特殊な構造により、効果的にその構造強度を高めることができ、エアインパクト工具が挿入軸の損傷により破損してしまうのを減少させることができ、同時に使用寿命を長くすることができ、経済効率を向上させることができた。
【考案を実施するための最良の形態】
【００１５】
本考案は、構造強度を高めたエアインパクト工具の打撃部の構造であり、図３，４に示すように、前記エアインパクト工具は、主にエアモーター５０と、打撃部６０と、伝動軸８０とによって構成されており、前記打撃部６０は、エアモーター５０の作用によって、正、逆方向に回転し、同時に打撃部６０は伝動軸８０を動かし、ボルトやナットを回転させ、前記エアモーター５０はエアシリンダ５１内にローラーブレード５２とローター５５が設けられており、前記ローター５５からは歯付き軸５６が伸びている。
打撃部６０は、枠状のハンマーケース６１を具有して構成されており、前記ハンマーケース６１のエアモーター５０に対応する一端には歯付き軸５６と噛合する駆動軸６２が設けられており、駆動軸６２のハンマーケース６１内に対応する一端には偏心部６３が形成されており、さらにハンマーケース６１内部の片側にはハンマー７０が枢設されており、前記ハンマー７０は打撃部６０内に挿設されている伝動軸８０を作動させることができる。以上の構成および作動原理は公知構造によるエアインパクト工具の打撃部の構造と同様のものであり、本考案の特徴を示すものではないから、これ以上は説明しない。
【００１６】
本考案の特徴の詳細な構成に関しては、図３，４に示すように、打撃部６０のハンマーケース６１両端の対応するハンマー７０部分に向き合う場所に、それぞれ貫通孔６４と拡大孔６５が形成されており、前記貫通孔６４と拡大孔６５は同軸上にあり、ハンマーケースは挿入軸６６を利用してハンマー７０を枢設しており、前記挿入軸６６の拡大孔６５に対応する一端には同径である拡大軸段６７が形成されており、さらに拡大軸段６７の長さは少なくともハンマー７０に挿入するのに足りる長さである。
【００１７】
ハンマー７０には挿入軸６６に対応する軸孔７１が形成されており、さらに前記軸孔７１には拡大軸段６７に対応する拡大孔段７２が形成されており、さらにハンマー７０には伝動軸８０に対応する作動溝７３が形成されている。
【００１８】
伝動軸８０の一端にはソケットを接続する角ドライブ８１が形成されており、さらに伝動軸８０のもう一端には噛合段８５が形成されており、噛合段８５上にはハンマー７０の作動溝７３に対応するアンビル８６が形成されており、上記の構造により構造強度を高めることができる。
【００１９】
本考案の実際の運用に関しては、図４に示すように、圧縮空気がエアモーター５０に進入した後、ローターブレード５２およびローターを通じて打撃部６０のハンマーケース６１を正、逆方向に作動させ、ハンマーケース６１にそれぞれ駆動軸６２の偏心部６３を利用してハンマー７０を動かし、伝動軸８０を打撃し、伝動軸８０のソケットを正、逆方向に駆動し、ボルトやナットの締緩を行う。
【００２０】
本考案のもう一つの実施例として、図５に示すように、本考案はツインハンマークラッチを用いた打撃部６０上に応用することができ、主にハンマーケース９０両端面にそれぞれ対応する第一貫通孔９２、第二貫通孔９４と、第一拡大孔９１、第二拡大孔９３が形成されており、それぞれ第一挿入軸９５、第二挿入軸９６を利用して第一ハンマー９７、第二ハンマー９８を枢設し、第一挿入軸９５、第二挿入軸９６における第一拡大孔９１、第二拡大孔９３に対応する一端には同径の拡大軸段９５０、９６０が形成されており、さらに拡大軸段９５０，９６０の長さは少なくとも第一ハンマー９７、第二ハンマー９８に挿入するのに足りる長さである。
【００２１】
第一ハンマー９７、第二ハンマー９８には第一挿入軸９５、第二挿入軸９６に対応する軸孔９７０、９８０が形成されており、さらに前記軸孔９７０、９８０には第一挿入軸９５、第二挿入軸９６の拡大軸段９５０、９６０に対応する拡大孔段９７１、９８１が形成されており、第一ハンマー９７、第二ハンマー９８を伝動軸８０に対応させ、両ハンマーによる打撃を行うことができる。
【００２２】
上述の説明によって、本考案は少なくとも下記の優れた点、および実用価値を具有していることが分かる。
【００２３】
Ａ  構造強度に優れる。
ハンマー７０とハンマーケース６１間の枢設に用いられている挿入軸６６には比較的大きい直径の拡大軸段６７が形成されており、前記比較的大きい直径の拡大軸段６７を利用することにより有効的にハンマー７０が力を受けた後の反作用力を克服することができ、さらに挿入軸６６の変形を防ぐことができ、大幅にその構造強度を高めることができ、公知構造のものと比べると、その荷重力の適用範囲を大きくすることができる以外に、さらに順調に動作を行わせることができ、同時に不必要な破損を減少させることができ、効果的に使用者の購買コスト、およびメンテナンスのコストを下げることができる。
【００２４】
Ｂ  使用寿命を長くすることができる。
上述のように、ハンマー７０の枢接部分の構造が大幅に強化されるので、伝動軸８０に掛かる打撃強度も大幅に強くなり、受ける力がさらに大きくなる状況の下においても、効果的にエアインパクト工具の破損率を下げることが出来るだけでなく、効果的にその使用寿命を長くすることができる。
【００２５】
本考案の特殊な構造を通じ、効果的にエアインパクト工具に更なる耐久効果を提供し、さらに本考案は上述のような数々の優れた点や実用価値を具有しているので、本考案は確実に新規性、進歩性を具有する考案であり、同様の技術領域において、未だ同様のもの、似たものは公開されておらず、ゆえに実用新案の要件に符合するものであり、法に基づき申請を行う。
【図面の簡単な説明】
【００２６】
【図１】公知構造によるエアインパクト工具の立体分解図である。
【図２】公知構造によるエアインパクト工具の断面図である。
【図３】本考案の立体分解図である。
【図４】本考案の組立て後の断面図である。
【図５】本考案のもう一つの実施例における立体分解図である。
【符号の説明】
【００２７】
１０    エアモーター
１１    エアシリンダ
１２    ローターブレード
１５    ローター
１６    歯付き軸
２０    打撃部
２１    ハンマーケース
２２    駆動軸
２３    偏心部
２４    貫通孔
２５    ピン
２６    ハンマー
２７    ピン孔
２８    作動溝
３０    伝動軸
３１    角ドライブ
３５    噛合段
３６    アンビル
５０    エアモーター
５１    エアシリンダ
５２    ローターブレード
５５    ローター
５６    歯付き軸
６０    打撃部
６１    ハンマーケース
６２    駆動軸
６３    偏心部
６４    貫通孔
６５    拡大孔
６６    挿入軸
６７    拡大軸段
７０    ハンマー
７１    軸孔
７２    拡大孔段
７３    作動溝
８０    伝動軸
８１    角ドライブ
８５    噛合段
８６    アンビル
９０    ハンマーケース
９１    第一貫通孔
９２    第一拡大孔
９３    第二貫通孔
９４    第二拡大孔
９５    第一挿入軸
９５０  拡大軸段
９６    第二挿入軸
９６０  拡大軸段
９７    第一ハンマー
９７０  軸孔
９７１  拡大孔段
９８    第二ハンマー
９８０  軸孔
９８１  拡大孔段
【図１】
0003105967.tif 000003
【図２】
0003105967.tif 000004
【図３】
0003105967.tif 000005
【図４】
0003105967.tif 000006
【図５】
0003105967.tif 000007